(57)【要約】メタデータを使ったスレートの自動生成を可能にするためのシステム（１００）および対応する諸方法（２０５〜２６５）が提供される。その方法は：ユーザーがスレートを生成するためのビデオメディア資産を選択できるようにビデオメディア資産の一覧をユーザーに提示する要求を受け取り、ビデオメディア資産の前記一覧を当該ユーザーに提示し（２２０）、選択されたビデオメディア資産を当該ユーザーから受け（２２５）、前記選択されたビデオメディア資産に関連したメタデータを取得し（２３０）、前記取得されたメタデータに関連したフィールドを生成することによってスレートのプレビューを生成し（２３５）、前記プレビューされたスレートに対するユーザーの承認に反応してスレートを生成し（２５０）、前記スレートを前記メディアサーバーに送信し（２５５）、前記スレートを前記選択されたビデオメディア資産に入れ込む編集を行って（２６０）前記スレートと前記選択されたビデオメディア資産とが一緒に視聴できるようにすることを有し、それによってユーザーに対して当該ビデオメディア資産の名前、所要時間、データベースの場所などといった当該ビデオメディア資産に付いての情報を（スレートを通じて）提供する。
2006524956.tif 000002
【特許請求の範囲】
【請求項１】
選択されたビデオメディア資産に関連したスレート生成要求を受け取り、
前記選択されたビデオメディア資産に関連したメタデータを使ってスレートを生成する、
ことを含むことを特徴とする、メタデータを用いてスレートを自動生成する方法。
【請求項２】
ユーザーがスレートを生成させるためのビデオメディア資産を選択できるようにビデオメディア資産の一覧をユーザーに提示する、
ことをさらに含むことを特徴とする、請求項１記載の方法。
【請求項３】
前記選択されたビデオメディア資産に関連したメタデータを取得する、
ことをさらに含むことを特徴とする、請求項１記載の方法。
【請求項４】
前記取得されたメタデータに関連したフィールドを生成することによってスレートのプレビューを生成する、
ことを特徴とする、請求項３記載の方法。
【請求項５】
ユーザーに反応してスレートのプレビューを調整する、
ことをさらに含むことを特徴とする、請求項４記載の方法。
【請求項６】
前記プレビューされているスレートの属性が調整される、
ことを特徴とする、請求項５記載の方法。
【請求項７】
前記プレビューの承認を受け取り、該承認を受け取ったのちにスレートが生成されることをさらに含む、
ことを特徴とする、請求項５記載の方法。
【請求項８】
請求項１記載の方法であって、前記生成ステップがさらに：
スレートをその関連するメタデータと合わせたフレームを表示し、
前記スレートのフレームを圧縮し、
前記圧縮されたフレームをビデオストリームに変換する、
ことを含むことを特徴とする方法。
【請求項９】
前記圧縮されたフレームが一般交換フォーマットを使ったビデオメディア資産ストリームに変換されることを特徴とする、請求項８記載の方法。
【請求項１０】
前記ビデオストリームを保存のためにサーバーに送信する、
ことをさらに含むことを特徴とする、請求項８記載の方法。
【請求項１１】
前記ビデオストリームを前記の選択されたビデオメディア資産に入れ込む編集を行う、
ことをさらに含むことを特徴とする、請求項８記載の方法。
【請求項１２】
ビデオスレート上にテキスト形式のメタデータを提示する装置であって：
プログラムを保存するメモリ装置と、
前記メモリ装置と通信するプロセッサとを有し、前記プロセッサは前記プログラムとともに動作して：
選択されたビデオメディア資産に関連したスレート生成要求を受け取り、
前記選択されたビデオメディア資産に関連したメタデータを使ってスレートを生成する、
ことを特徴とする装置。
【請求項１３】
前記プロセッサがさらに：
ユーザーがスレートを生成させるためのビデオメディア資産を選択できるようにビデオメディア資産の一覧をユーザーに提示する、
ためのプログラムとともに動作することを特徴とする、請求項１２記載の装置。
【請求項１４】
前記プロセッサがさらに：
前記選択されたビデオメディア資産に関連したメタデータを取得する、
ためのプログラムとともに動作することを特徴とする、請求項１２記載の装置。
【請求項１５】
前記プロセッサがさらに：
前記取得されたメタデータに関連したフィールドを生成することによってスレートのプレビューを生成する、
ためのプログラムとともに動作することを特徴とする、請求項１４記載の装置。
【請求項１６】
前記プロセッサがさらに：
ユーザーに反応してスレートのプレビューを調整する、
ためのプログラムとともに動作することを特徴とする、請求項１５記載の装置。
【請求項１７】
前記プロセッサがさらに：
前記プレビューの承認を受け取り、該承認を受け取ったのちにスレートが生成される、
ためのプログラムとともに動作することを特徴とする、請求項１５記載の装置。
【請求項１８】
前記プロセッサがさらに：
前記生成されたスレートを保存のためにサーバーに送信する、
ためのプログラムとともに動作することを特徴とする、請求項１２記載の装置。
【請求項１９】
前記プロセッサがさらに：
前記生成されたスレートを前記の選択されたビデオメディア資産に入れ込む編集を行う、
ためのプログラムとともに動作することを特徴とする、請求項１２記載の装置。
【請求項２０】
選択されたビデオメディア資産に関連したスレート生成要求を受け取る手段と、
前記選択されたビデオメディア資産に関連したメタデータを使ってスレートを生成する手段とを有する、
ことを特徴とする、メタデータを用いてスレートを自動生成するシステム。
【請求項２１】
メタデータを使ってスレートを自動生成するためのコンピュータプログラム論理が記録されたコンピュータ使用可能媒体を有するコンピュータプログラムプロダクトであって、前記コンピュータプログラム論理が：
選択されたビデオメディア資産に関連したスレート生成要求を受け取るためのプログラムコードと、
前記選択されたビデオメディア資産に関連したメタデータを使ってスレートを生成するためのプログラムコードとを有する、
ことを特徴とするコンピュータプログラムプロダクト。
【請求項２２】
ユーザーがスレートを生成させるためのビデオメディア資産を選択できるようにビデオメディア資産の一覧をユーザーに提示する要求を受け取り、
メディアサーバー中のメディアデータベースから取得されるビデオメディア資産の前記一覧を当該ユーザーに提示し、
選択されたビデオメディア資産を当該ユーザーから受け、
前記メディアサーバー中のメタデータデータベースから取得される、前記選択されたビデオメディア資産に関連したメタデータを取得し、
前記取得されたメタデータに関連したフィールドを生成することによってスレートのプレビューを生成し、
前記プレビューに対するユーザーの承認に反応してスレートを生成し、該スレートはビデオストリームに変換され、
前記ビデオストリームを前記メディアサーバーに送信し、
前記ビデオストリームを前記選択されたビデオメディア資産に入れ込む編集を行って前記ビデオストリームが前記選択されたビデオメディア資産と一緒に視聴できるようにする、
ことを含むことを特徴とする、ビデオストリームとして視聴可能なビデオスレート上にメタデータを提示する方法。
【請求項２３】
請求項１記載の方法、請求項１２記載の装置、請求項２０記載のシステムまたは請求項２２記載の方法のメタデータを、選択されたビデオメディア資産のコピーに透かしを入れるために使用する方法。
【発明の詳細な説明】
【技術分野】
【０００１】
本発明はスレート（ｓｌａｔｅ）を自動生成することに、より詳細にはメディアサーバー上に保存されているメタデータを用いてスレートを自動生成するシステムおよび方法に関するものである。
【背景技術】
【０００２】
ビデオおよびオーディオのデータのようなメディア資産の大規模な蓄積を管理するために、そのようなメディア資産のいくつかの区画は、そのようなデータが保存されているメディアサーバーなどからデータを取得できるようにするためのメタデータに関連付けられている。そのようなデータに関連付けられているメタデータは典型的には、そのデータの要素または属性（たとえば、名前、大きさ、種別）、記録または構造（たとえば、長さ、フィールド、列）、そのデータについてのデータ（たとえば、どこにあるか、どのように関連付けられているか、所有権）といった、そのデータについての情報を提供する。
【０００３】
ビデオメディア資産のような所望のビデオベースのメディア資産についてのメタデータによって提供される情報を得るため、ユーザーはメディアサーバーにその情報を問い合わせることができる。この情報は有用ではあるものの、典型的にはビデオメディア資産と一緒には見ることができない。この情報をビデオメディア資産と一緒に見るために、スレートを作成することができる。これは、そのビデオメディア資産についての情報がそのビデオメディア資産を見る前に現れるよう含めておくものである。しかしながら、スレート上の情報はユーザーが手間暇かけて手で入力しなければならない。それに、スレートの製作には、キャラクタジェネレータやタイムコードジェネレータなどの高価なビデオ機材が必要になる。
【発明の開示】
【発明が解決しようとする課題】
【０００４】
したがって、短時間で比較的安価にスレートを自動生成するシステムおよび方法が必要とされている。
【課題を解決するための手段】
【０００５】
これらのことを含め、従来技術のさまざまな欠点および不都合な点がメタデータを使ってスレートを自動生成するシステムおよび方法によって対処される。メタデータを使ったスレートの自動生成を可能にするためのシステムおよび対応する諸方法が提供される。
【０００６】
本発明のある実施形態では、メタデータを用いてスレートを自動生成する方法は：選択されたビデオベースのメディア資産に関連したスレート生成要求を受け取り、前記選択されたビデオメディア資産に関連したメタデータを使ってスレートを生成する、ことを有する。
【０００７】
本発明の別の実施形態では、ビデオスレート上にテキスト形式のメタデータを提示する装置は：プログラムを保存するメモリ装置と、前記メモリ装置と通信するプロセッサとを有し、前記プロセッサは前記プログラムとともに動作して：選択されたビデオメディア資産に関連したスレート生成要求を受け取り、前記選択されたビデオメディア資産に関連したメタデータを使ってスレートを生成する。
【０００８】
本発明のさらに別の実施形態では、メタデータを用いてスレートを自動生成するシステムは：選択されたビデオメディア資産に関連したスレート生成要求を受け取る手段と、前記選択されたビデオメディア資産に関連したメタデータを使ってスレートを生成する手段とを有する。
【０００９】
本発明の別の実施形態では、メタデータを使ってスレートを自動生成するためのコンピュータプログラム論理が記録されたコンピュータ使用可能媒体を有するコンピュータプログラムプロダクトであって、前記コンピュータプログラム論理は：選択されたビデオメディア資産に関連したスレート生成要求を受け取るためのプログラムコードと、前記選択されたビデオメディア資産に関連したメタデータを使ってスレートを生成するためのプログラムコードとを有する。
【００１０】
本発明のさらに別の実施形態では、ビデオストリームとして視聴可能なスレート上にメタデータを提示する方法は：ユーザーがスレートを生成させるためのビデオメディア資産を選択できるようにビデオメディア資産の一覧をユーザーに提示する要求を受け取り、メディアサーバー中のメディアデータベースから取得されるビデオメディア資産の前記一覧を当該ユーザーに提示し、選択されたビデオメディア資産を当該ユーザーから受け、前記メディアサーバー中のメタデータデータベースから取得される、前記選択されたビデオメディア資産に関連したメタデータを取得し、前記取得されたメタデータに関連したフィールドを生成することによってスレートのプレビューを生成し、前記プレビューに対するユーザーの承認に反応してスレートを生成し、該スレートはビデオストリームに変換され、前記ビデオストリームを前記メディアサーバーに送信し、前記ビデオストリームを前記選択されたビデオメディア資産に入れ込む編集を行って前記ビデオストリームが前記選択されたビデオメディア資産と一緒に視聴できるようにする、ことを有する。
【００１１】
本発明のさらなる実施形態では、メタデータを使ってビデオメディア資産のコピーを指示するための透かしシステムが提示される。ここで、前記メタデータは、該ビデオメディア資産の各コピーごとに、異なる時刻に異なる時間にわたって、画面上にビデオとともに提示される。
【００１２】
本発明は添付の例となる図面に基づいてよりよく理解されるであろう。
【発明を実施するための最良の形態】
【００１３】
図１は、本発明の代表例としての実施形態に基づくメタデータを用いてスレートを自動生成するシステム１００のブロック図である。図１に示されているように、システム１００は、パソコン（ＰＣ）１０５およびメディアサーバー１１０がそれぞれネットワーク接続インターフェース１５５、１９０によってネットワーク１１５を介して相互接続されているものを含む。
【００１４】
携帯型またはラップトップ型パソコン、携帯情報端末（ＰＤＡ：ｐｅｒｓｏｎａｌ  ｄｉｇｉｔａｌ  ａｓｓｉｓｔａｎｔ）などでありうるＰＣ１０５は、中央処理装置（ＣＰＵ：ｃｅｎｔｒａｌ  ｐｒｏｃｅｓｓｉｎｇ  ｕｎｉｔ）１２０およびメモリ１２５を含んでおり、これらはデータバス１５０を通じて入力１３０および出力１３５に接続されている。メモリ１２５はランダムアクセスメモリ（ＲＡＭ：ｒａｎｄｏｍ  ａｃｃｅｓｓ  ｍｅｍｏｒｙ）１４０および読み出し専用メモリ（ＲＯＭ：ｒｅａｄ  ｏｎｌｙ  ｍｅｍｏｒｙ）１４５を含んでいる。メモリ１２５はまたデータベース、ディスクドライブ、テープドライブなど、またはそれらの組み合わせを含みうる。ＲＡＭ１４０はＣＰＵ１２０においてプログラムを実行する間使われるデータを保存するデータメモリとして機能し、作業領域として使われる。ＲＯＭ１４５はＣＰＵ１２０において実行されるプログラムを保存するプログラムメモリとして機能する。入力１３０はキーボード、マウス、接続手段などによって構成され、出力１３５は液晶表示装置（ＬＣＤ：ｌｉｑｕｉｄ  ｃｒｙｓｔａｌ  ｄｉｓｐｌａｙ）、陰極線管（ＣＲＴ：ｃａｔｈｏｄｅ  ｒａｙ  ｔｕｂｅ）表示装置、プリンタなどによって構成される。
【００１５】
ＰＣ１０５にはまた、メディアプレーヤー１９３およびエンコーダ１９５がデータバス１５０を通じてＰＣ１０５の内部コンポーネントに接続されている。メディアプレーヤー１９３はユーザーによって選択されたビデオメディア資産やビデオストリームを再生するのに使われる。メディアプレーヤー１９３は、メディアサーバー１１０によって提供されるビデオ信号をＰＣ１０５の内部コンポーネントの助けを得て復号するためのデコーダを含んでいてもよく、前記ビデオ信号をＣＲＴモニタのような出力１３５上に表示することができる。エンコーダ１９５は、バイナリまたはＡＳＣＩＩのエンコード方式を採用しており、メディアプレーヤー１９３によって使われるビデオ信号をエンコードして、追加修正のためにメディアサーバー１１０に送信できるようにする。ビデオ信号のフォーマットは、ＲｅａｌＶｉｄｅｏ、ＭＰＥＧ、ＪＶＴ、Ａｐｐｌｅ  ＱｕｉｃｋＴｉｍｅ、マイクロソフトＡＶＩ、あらゆる種類のケーブル、地上波もしくはモデムベースのビデオ規格などといった多様なフォーマットのうちのいずれでもよい。
【００１６】
メディアサーバー１１０は、ＣＰＵ１６０とそれに接続されたメディアデータベース１６５、メタデータデータベース１７０、メモリ１７５を含む。ＰＣ１０５のメモリ１２５と同様に、メディアサーバー１１０のメモリ１７５もＲＡＭ１８０およびＲＯＭ１８５を含む。メモリ１７５はまた、内部または外部データベース、ディスクドライブ、テープドライブなど、またはそれらの組み合わせを含みうる。ＲＡＭ１８０はＣＰＵ１６０においてプログラムを実行する間使われるデータを保存するデータメモリとして機能し、作業領域として使われる。ＲＯＭ１８５はＣＰＵ１６０において実行されるプログラムを保存するプログラムメモリとして機能する。データベース１６５、１７０およびメモリ１７５は共通のデータバスを通じてＣＰＵ１６０に接続できると理解するものとする。
【００１７】
メディアデータベース１６５は映画、テレビ番組その他ユーザーが選択できる映像番組といったビデオメディア資産のビデオストリームのコレクションを含んでいる。メタデータデータベース１７０はメディアデータベース１６５におけるビデオストリームに関連したメタデータを含んでいる。メタデータは、メディアデータベース１６５に含まれるビデオストリームに関連した雑多な項目についての情報を含んでおり、たとえばビデオフォーマット、エンコード形式、所要時間、マークイン、マークアウト、タイトル、記録日、出演者、監督、テイク番号、著作権日などといったものがある。メディアデータベース１６５およびメタデータデータベース１７０は組み合わされてそれぞれのデータベース１６５、１７０にある情報を含んだ一つのデータベースを形成してもよいと理解するものとする。また、「テイク番号」メタデータは映画のテイク（ｔａｋｅ）を表し、テイクというのは同じシーン（ｓｃｅｎｅ）を構成する一連のカット（ｓｈｏｔ）のうちの一つであることも理解しておくべきである。一連のカットのうちの何番目かを表すのが「テイク番号」である。
【００１８】
図２は、本発明の代表例としての実施形態に基づくメタデータを用いてスレートを自動生成するシステムの動作を示すフローチャートである。図２に示されているように、ユーザーは、メディアサーバー１１０に接続されているＰＣ１０５などの上で本発明を実施するアプリケーションを立ち上げる（ステップ２０５）。ユーザーは次にスレートを自動生成するためのビデオメディア資産を選択したい意向を示す（ステップ２１０）。これは、ＰＣ１０５と通信しているたとえばＣＲＴ表示装置上でビデオメディア資産選択と関連したアイコンをクリックすることによって達成される。するとアプリケーションがメディアサーバー１１０にユーザーにビデオメディア資産の一覧を提供するよう求める（ステップ２１５）。メディアサーバー１１０はするとたとえばそのメディアデータベース１６５にアクセスして、ＣＲＴ表示装置上で視聴できるビデオメディア資産の一覧をユーザーに提供する（ステップ２２０）。ユーザーは次いでスレートを自動生成するために、たとえば「マイムービー」という名前のビデオメディア資産を選択する（ステップ２２５）。スレートとは、オートスレート、タイトル画面、ビデオスレート、ビデオクラッパー（ｖｉｄｅｏ−ｃｌａｐｐｅｒ）と称されることもあるが、映画のようなビデオベースのメディア資産と関連した（メタデータによって提供される）情報を提示するのに使われるビデオ画像またはビデオストリームであることを理解しておくものとする。これについては図２、図３を参照してさらに説明する。
【００１９】
図２に示されているように、メディアサーバー１１０は次いで前記の選択された映画のようなビデオベースのメディア資産に関連したメタデータデータベース１７０の内容にアクセスし、ＰＣ１０５上で走っているアプリケーションにメタデータを提供する（ステップ２３０）。メディアサーバー１１０によって提供されるメタデータは、当該ビデオメディア資産のビデオフォーマット、エンコード形式、所要時間、マークイン、マークアウト、タイトル、記録日などに関連したものでありうることを理解しておくものとする。前記の選択したビデオメディア資産に関連したメタデータを受信すると、アプリケーションはスレートのプレビューを生成する（ステップ２３５）。プレビューは選択されたビデオメディア資産の冒頭に付加されるスレートがどのように見えるかを（取得したメタデータなしに）示す静止画像またはアニメーションなどであることを理解しておくものとする。さらに、本発明の代替的な実施形態ではプレビュースレートはメタデータをテキスト形式で表示するよう生成できることを理解しておくものとする。本発明のさらなる実施形態においては、提供されるメタデータはユーザーの好みの設定に従って修正されるようにすることもできる。たとえばユーザーは、メタデータとしてフォーマットやエンコード形式を使う代わりに、出演者や監督がスレートを生成するために使われる代替メタデータフィールドとなるよう指定してもよい。
【００２０】
たとえばＣＰＵ１０５のＯＳによって提供される標準的なグラフィックライブラリを使ってプレビューが生成され、取得されたメタデータに関連したフィールドがユーザーに提示される。プレビューには取得したメタデータに関連しないフィールドも提示されることを理解しておくものとする。スレートをプレビューしたのち、ユーザーはスレートをカスタマイズするオプションがある（ステップ２４０）。ユーザーは、体裁を変えたり（たとえば背景色を変える）、大きさを選択したり、タイミングを選択したり、文字を加えたり、カウントダウンタイマーを加えたり、メタデータ変数（たとえばクリップ名やエンコード種別）を加えたりなどすることによってスレートをカスタマイズすることができる。これによりユーザーは「ハウススタイル」をもつスレートを生成することができる。ハウススタイルとはたとえば、統一性と識別しやすさのために同じユーザーによって生成されるすべてのスレートに使われるテンプレートなどである。
【００２１】
スレートがカスタマイズされたのち、ユーザーはスレートを承認するかどうかを決定する（ステップ２４５）。ユーザーがプレビューしたスレートを承認した場合、スレートが生成される（ステップ２５０）。一方、ユーザーがプレビューしたスレートを承認しなかった場合、（１）アプリケーションはステップ２３５のもともとのスレートのプレビューに戻るか、（２）ユーザーがスレートの修正を続けるか、（３）ユーザーが処理を終えることにしてアプリケーションを終了する。ステップ２５０でスレートが生成されたら、いくつかの手続きが行われる。
【００２２】
第一に、スレートは関連したメタデータと合わせて、たとえばカスタマイズステップ２４０でユーザーによって指定されたかもしれないフォーマットで一つのフレームとされる。スレートは、たとえば全国テレビ方式委員会（ＮＴＳＣ）、位相交代線（ＰＡＬ：ｐｈａｓｅ  ａｌｔｅｒｎａｔｉｏｎ  ｌｉｎｅ）、高精細度テレビ（ＨＤＴＶ：ｈｉｇｈ−ｄｅｆｉｎｉｔｉｏｎ  ｔｅｌｅｖｉｓｉｏｎ）などによって用いられるいくつかのテレビサイズに従ってフォーマットされうることを理解しておくものとする。第二に、できあがったフレームは、たとえばエンコーダ１９５によって圧縮される。最後に、圧縮されたフレームと関連するタイムコード（たとえば、映画テレビジョン技術者協会［ＳＭＰＴＥ：Ｓｏｃｉｅｔｙ  ｏｆ  Ｍｏｔｉｏｎ  Ｐｉｃｔｕｒｅ  ａｎｄ  Ｔｅｌｅｖｉｓｉｏｎ］およびヨーロッパ放送連合［ＥＢＵ：Ｅｕｒｏｐｅａｎ  Ｂｒｏａｄｃａｓｔｉｎｇ  Ｕｎｉｏｎ］タイムコード）とがＳＭＰＴＥ３６０Ｍ規格または先進オーサリングフォーマット（ＡＡＦ：ａｄｖａｎｃｅｄ  ａｕｔｈｏｒｉｎｇ  ｆｏｒｍａｔ）などのような一般交換フォーマット（ＧＸＦ；ｇｅｎｅｒａｌ  ｅｘｃｈａｎｇｅ  ｆｏｒｍａｔ）に準拠したビデオストリームに変換される。また、生成されたスレートおよび対応するタイムコードは自動放送ビデオシステムで使うビデオ再生システムに自動的にキューを与えるのにも使用されうることを理解しておくものとする。
【００２３】
図２でさらに示されているように、スレートは生成されたのち、メディアサーバー１１０に送信され、メディアデータベース１６５に保存される（ステップ２５５）。こうして、スレートはメディアデータベースにたとえば「マイムービー・スレート」の名で保存される。その後、ユーザーはスレート「マイムービー・スレート」を前記の選択されたビデオメディア資産「マイムービー」に入れ込む編集を行い、もともとのビデオメディア資産の先頭に挿入されたスレートを含むビデオメディア資産を作成する（ステップ２６０）。そしてその名前をたとえば「マイムービー・スレート付き」とすることによって、もともとのビデオメディア資産にスレートがプレアペンドされていることがすぐわかるようになる（プレアペンドとは、スレートがもともとのビデオメディア資産の冒頭に付加されることを意味する）。編集ステップ２６０ののち、ユーザーはアプリケーションを終了してもよいし（ステップ２６０）、最初に戻ってアプリケーションに、スレートを自動生成するためのビデオメディア資産の一覧を提供するよう要求してもよい。この要求ステップはまた、ユーザーによって入力されたメタデータに合致するものの検索や、対応するメタデータをもつビデオの合致検索でもよい。たとえば、ユーザーは特定の出演者や監督などに関連したビデオをみつける要求を入力することができる。
【００２４】
図３は、本発明の代表例としての実施形態に基づいて自動生成されたスレート３００の静止画像である。図３に示されているように、スレート３００は、たとえばテレビ局、会社、製品ロゴなどを識別するために使われるユーザー選択可能な背景を含んでいる。カスタム背景をもてるオプションがあれば、ユーザーインターフェースまたは当業界で既知のその他の手段を用いることによって構成・同定される「ハウススタイル」を簡単に選べるようになる。スレート３００はまた右下の隅にカウントダウンタイマー（中心に「９」と示されている）を含んでいる。これはスレートがプレアペンドされているビデオメディア資産の開始までのカウントダウンに使われるものである。カウントダウンタイマーはスレートの寿命を指示しうるものと理解しておくことにする。
【００２５】
さらに図３に示されているように、スレート３００は次の識別子を一覧する列を含んでいる：映画名、場所、所要時間、エンコード、フォーマット、開始点、終了点。識別子は、ユーザーに、スレート３００に関連する当該ビデオメディア資産についての所望の情報を提供するようカスタマイズされる。ビデオメディア資産に関連付けられたメタデータは識別子の隣の列にテキストとして提示されている。図３に示されるように、「映画名」に関連付けられたメタデータは“サッカーハイライト”、「場所」は“￥￥Ｅｘｔ￥Ｄｅｆａｕｌｔ”、「所要時間」は“００：３１：００：００”、「エンコード」は“ＭＰＥＧ２  ４：２：２  １０Ｍｂ／ｓ  ＩＢＰ”、「フォーマット」は“ＰＡＬ”、「開始点」は“００：００：３０：００”、「終了点」は“００：３０：３０：００”である。これからわかるように、ビデオメディア資産“サッカーハイライト”という名前のビデオメディア資産は“サッカーハイライト”という名前のファイルに保存されており、３１分かかり、ビデオメディア資産の開始（終了）の３０秒前（後）が先頭（末尾）となるよう編集されており、ビデオメディア資産本体の前に現れる。このビデオメディア資産はまた、ＰＡＬフォーマットで、エンコードはＭＰＥＧ２である。ビデオメディア資産に関連する追加的なメタデータもユーザーによる選択に応じてスレート３００上に提示されうることを理解しておくものとする。
【実施例１】
【００２６】
あるいはまた、スレートを生成するために使われるメタデータは、ＭＰＥＧ−２ストリームのユーザーデータフィールドにおいて認められているように、ビデオメディア資産のユーザーまたは補助データフィールドに挿入するために使われてもよいし、あるいはプライベートデータストリームの一部をなすビデオストリームに伴ってもよい。この代替的な実施形態においては、スレートデータの生成はビデオメディア資産を受信するデバイス側において行うことができ、対応するメタデータから本発明の原理に従ってスレートを生成することができる。この代替的な実施形態では、スレートを生成するビデオ編集はすなわち受信側で行われるため、スレートを表す追加のビデオ映像を付加することは必要とはならない。
【実施例２】
【００２７】
本発明のさらなる実施形態は、スレートと関連付けられているビデオメディア資産に透かしを入れるなど、スレートに関連するメタデータがセキュリティ目的に使われる場合に提示される。たとえば、ユーザーがスレートの諸属性を選択する際に、ＰＣ１０５を通じてビデオメディア資産の異なる時点でメタデータを表示させ、映像を現すビデオに重なってテキストやグラフィックとして表示される透かしを生成するようなオプションを指定する。図４に示されているように、本発明の代表例としての実施形態によると、ユーザーはユーザーインターフェース４００を通じて、ビデオメディア資産名、著作権日など、どのメタデータを表示させるか、そして映像中どのくらいの間隔でどのくらい長くそのようなメタデータを表示させるかを指定する。この今の例では、ユーザーはメタデータを３０分ごとに１０秒間表示させるよう指定している。これらの時間値はいずれもユーザーの好みに従って修正可能である。
【００２８】
もしユーザーが映像のコピーを関連付けられた透かしとともに複数作成しようとする場合、ユーザーはどのメタデータを透かしに使用し、どの時点でどれだけ長くそのようなメタデータを表示させるかをＰＣ１０５がランダム化するよう指定することができる。こうした変動を使うことによって、各ビデオメディア資産のコピーを互いに他から区別するのに、一意的な組み合わせのメタデータおよびメタデータ表示時間が使われる。メタデータのランダム化パターンは、ＰＣ１０５によって生成されるにつれて図５に示されるような表として保存される。表５００は、コンピュータがどのメタデータ（またはメタデータフィールド）をコピー生成のために選択したか、そしてどのくらいの間隔でどのくらい長くそのようなメタデータが映像のビデオと一緒に画面上に表示されたかについての、解説上の実施例を示している。こうすれば、映像製作者は表中の情報をもつビデオメディア資産を見て該ビデオメディア資産の生成されたコピーが不正に頒布されたものかどうかを決定することができる。ビデオメディア資産に透かしをいれるのに使われる表中の項目およびフィールドの量は本発明の原理とユーザーの好みに従って修正されうる。
【００２９】
本発明がさまざまな形のハードウェア、ソフトウェア、ファームウェア、専用プロセッサまたはそれらの組み合わせにおいて実施されうることを理解しておくべきである。ある実施形態では、本発明はソフトウェア的に、プログラム記憶装置上に物理的に具体化されたアプリケーションプログラムとして実装されうる。そのアプリケーションプログラムを読み込んで実行する機械はいかなる好適なアーキテクチャを有するものであってもよい。
【図面の簡単な説明】
【００３０】
【図１】本発明の代表例としての実施形態に基づくメタデータを用いてスレートを自動生成するシステムのブロック図である。
【図２】本発明の代表例としての実施形態に基づくメタデータを用いてスレートを自動生成するシステムの動作を示すフローチャートである。
【図３】本発明の代表例としての実施形態に基づいて自動生成されたスレートの静止画像である。
【図４】本発明の代表例としての実施形態に基づいてメタデータを用いて透かしを指示するのに使われるユーザーインターフェースの代表例としての実施形態を表す図である。
【図５】ビデオメディア資産のコピーに透かしを入れるのに使われるメタデータを示すのに使われる表の代表的な実施形態を表す図である。
【図１】
2006524956.tif 000003
【図２】
2006524956.tif 000004
【図３】
2006524956.tif 000005
【図４】
2006524956.tif 000006
【図５】
2006524956.tif 000007
【国際調査報告】
2006524956.tif 000008